(57)【要約】【課題】電線の配索方向の矯正を円滑に行うことができるようにする。【解決手段】コネクタハウジング１の電線引き出し口１１に取り付けられる電線カバー３には、電線ガイド部８が形成されている。電線ガイド部８は下方へ開口する略半円筒状に形成されており、一方の開口縁にはヒンジ９を介して保持片１０が取り付けられている。保持片１０にはロック片１２が形成され、ロック片１２は他方の開口縁に形成されたロック受け部１７に進入可能である。ロック受け部１７には一対の誘導突部２１が突出形成され、その内面にはロック受け部１７に形成された外側誘導縁１９に連続する拡張誘導面２１Ａが形成されていて、ロック片１２の誘導を行う。【選択図】図５
2015220019.tif 000002
【特許請求の範囲】
【請求項１】
電線引き出し面を有するコネクタハウジングと、
前記電線引き出し面を覆うようにして前記コネクタハウジングに装着される電線カバーと、
前記電線カバーの本体部から延出するとともに、束ねられた状態の前記電線の周方向の一部を支持する壁面を有し、残余の部分は外方へ開放するようにして形成された電線ガイド部と、
前記電線ガイド部における一方の開口縁にヒンジを介して回動可能に取付けられて前記電線ガイド部の両開口縁間に架け渡されることで前記電線を前記電線ガイド部内に保持する保持片と、
前記保持片の自由端部から延出して形成され先端部にはロック突部が突出して形成されたロック片と、
前記電線ガイド部の開口縁のうち前記ヒンジが設けられた側と反対側には、前記ロック片が進入可能な差し込み口を有し前記ロック片の進入後には前記ロック突部と弾性的に係止可能なロック受け部とを備え、
前記差し込み口の開口縁部には、前記ロック突部と摺接するテーパ状の誘い込みが形成され、さらに前記差し込み口の開口縁部の一部から外方へ突出して誘導突部が形成され、その内面には前記誘い込みと連続する拡張誘導面が形成されていることを特徴とする電線カバー付きコネクタ。
【請求項２】
前記誘導突部は幅方向に離間して一対配されるとともに、前記ロック片が前記差し込み口へ進入するときには、前記ロック突部が両誘導突部間に架け渡し状態で誘い込まれるようになっていることを特徴とする請求項１に記載の電線カバー付きコネクタ。
【発明の詳細な説明】
【技術分野】
【０００１】
本発明は、電線カバー付きコネクタに関するものである。
【背景技術】
【０００２】
従来より、コネクタハウジングの後面に電線カバーを取り付け、コネクタハウジングから引き出された電線を所定方向に矯正して導出させる技術が知られている。そのようなものとして、例えば、下記特許文献１を挙げることができる。
【０００３】
ここに開示されたコネクタは、コネクタハウジングの後部に一対のカバーを有している。両カバーはコネクタハウジングの両側面にヒンジを介して回動可能に取り付けられており、両カバーが閉じ方向に回動して突き合わされることで、電線を下方へ屈曲させて外部に導出できるようになっている。
【先行技術文献】
【特許文献】
【０００４】
【特許文献１】特開平９−１０２３５４号公報
【発明の概要】
【発明が解決しようとする課題】
【０００５】
両カバーが閉じられるときには、一方のカバーに設けられたロック片が他方のカバーに設けられたロック突部に嵌り込むことで、両カバーが閉じ状態でロックされるのであるが、この間、両カバーは薄肉の所定幅を有したヒンジを中心として回動されるため、回動軌跡がばらつき易く、ロック片とロック突部が正規に係止する際の軌跡を辿らないことがある。通常には、ロック片やロック突部の摺接部分にテーパ面等の誘導手段が講じられているが、上記したヒンジを中心として回動する場合には、通常の誘導手段では回動軌跡のばらつきを吸収し切れないことがあり、結果として、電線の配索方向の矯正作業に手間取る、という問題があった。
【０００６】
本発明は上記のような事情に基づいて完成されたものであって、その目的は、電線の配索方向の矯正作業をスムーズに行うことができる電線カバー付きコネクタを提供することである。
【課題を解決するための手段】
【０００７】
本発明の電線カバー付きコネクタは、電線引き出し面を有するコネクタハウジングと、電線引き出し面を覆うようにしてコネクタハウジングに装着される電線カバーと、電線カバーの本体部から延出するとともに、束ねられた状態の電線の周方向の一部を支持する壁面を有し、残余の部分は外方へ開放するようにして形成された電線ガイド部と、電線ガイド部における一方の開口縁にヒンジを介して回動可能に取付けられて電線ガイド部の両開口縁間に架け渡されることで電線を電線ガイド部内に保持する保持片と、保持片の自由端部から延出して形成され先端部にはロック突部が突出して形成されたロック片と、電線ガイド部の開口縁のうちヒンジが設けられた側と反対側には、ロック片が進入可能な差し込み口を有しロック片の進入後にはロック突部と弾性的に係止可能なロック受け部とを備え、
差し込み口の開口縁部には、ロック突部と摺接するテーパ状の誘い込みが形成され、さらに差し込み口の開口縁部の一部から外方へ突出して誘導突部が形成され、その内面には誘い込みと連続する拡張誘導面が形成されていることを特徴とする。
【発明の効果】
【０００８】
本発明によれば、電線引き出し面から引き出された電線を電線ガイド部内に保持させる場合には、ヒンジを中心に保持片を回動させロック片をロック受け部の差し込み口から差し込む。このとき、ロック受け部側では誘導突部の拡張誘導面によって誘い込みの拡張がなされている。したがって、保持片の回動軌跡がばらついてもロック片のロック突部を円滑に差し込み口へと誘導することができる。その結果、電線の配索方向の矯正作業を円滑に行うことができる。
【図面の簡単な説明】
【０００９】
【図１】コネクタハウジングから電線カバーを分離した状態を示す正面図
【図２】同じく側面図
【図３】電線カバーの平面図
【図４】ロック片とロック受け部とのロック動作を示す正面図
【図５】ロック動作の途中の状況を示す側断面図
【図６】ロック動作が完了した状態を示す側断面図
【発明を実施するための形態】
【００１０】
本発明における好ましい実施の形態を説明する。
本発明の電線カバー付きコネクタは、前記誘導突部は幅方向に離間して一対配されるとともに、前記ロック片が前記差し込み口へ進入するときには、前記ロック突部が両誘導突部間に架け渡し状態で誘い込まれるようになった構成とすることが好ましい。
このような構成によれば、ロック突部は両誘導突部の双方に架け渡し状態で摺接している。つまり、両誘導突部の間の領域はロック突起に非接触であるため、接触面積の低減によって挿入力を低くすることができる。また、ロック突部は幅方向の両側で誘導突部による案内を受けるため、安定した誘い込みを受けることができる。
【００１１】
＜実施例＞
次に、本発明の電線カバー付きコネクタを具体化した実施例について、図面を参照しつつ説明する。
図１、図２に示すように、コネクタは合成樹脂製のコネクタハウジング１を有しており、その背面には複数本の電線Ｗが引き出される電線引き出し面２が形成されている。コネクタハウジング１において、電線引き出し面２を挟んで対向する両側面（図１では左右両側面）には電線カバー３を装着するための係止爪４が突設されている。これら係止爪４は、各面に二個ずつそれぞれ端部寄りの位置に設けられている。
【００１２】
電線カバー３は合成樹脂製であり、図１、図２に示すように、電線引き出し面２を覆う本体部５を有している。本体部５は図示下方（電線引き出し面２方向）へ開口するとともに、外方へドーム状に膨出形成されている。本体部５の開口面は電線引き出し面２と適合するように略方形状に形成されている。本体部５の開口面における四隅部には各係止爪４に対応して装着片６が設けられている。各装着片６は本体部５の開口縁から下向きに突出しており、それぞれは外方へ撓み可能である。各装着片６には係止孔７が開口しており、対応する各係止爪４に係止可能である。装着片６の係止孔７へ係止爪４がそれぞれ弾性的に係止することによって、電線カバー３をコネクタハウジング１に装着することができる。
【００１３】
図１に示すように、本体部５の一側には電線Ｗをコネクタハウジング１から引き出された方向とは略直角に屈曲させて導出させるための電線ガイド部８が連続して形成されている。この電線ガイド部８は図１においては、左方を向いてかつ斜め下向きに延出している。電線ガイド部８は、図２に示すように、本体部５の幅寸法よりも幅狭の略半円筒形状に形成されている。電線ガイド部８の内部は本体部５と連通し、かつ本体部５と同方向（下方）を向いて開口するとともに、延出端部の端面も軸方向に沿って開口している。かくして、電線ガイド部８は、コネクタハウジング１から引き出された後、束ねられた状態の電線Ｗの略半周分を支持しつつ電線Ｗの導出方向を矯正することができる。
【００１４】
図１に示すように、電線ガイド部８における両側面は開口方向（下方）へ向けて略三角形状の延長部８Ａが延出形成されている。電線カバー３がコネクタハウジング１に装着されると、延長部８Ａはコネクタハウジング１の外方に位置し、その下縁は電線引き出し面２よりやや低い高さ位置にあって、略水平を向いている。
【００１５】
両延長部８Ａのうちの一方の下縁には同縁に沿って設けられたヒンジ９を介して保持片１０が設けられている。保持片１０は電線ガイド部８における両延長部８Ａの両下縁（両開口縁）間に架け渡されることで、電線Ｗを電線ガイド部８内に保持するためのものである。保持片１０は、図２に示す開放位置と、図６に示す閉止位置との間をヒンジ９を中心として回動可能である。保持片１０が開放位置にあるときには、一方の延長部８Ａの下縁から垂下した状態にあり、電線ガイド部８を下方へ開放させている。一方、保持片１０が閉止位置にあるときには、両延長部８Ａの下縁間に架け渡された状態となって、電線ガイド部８の内面との間で電線引き出し口を形成して、電線Ｗを下方へ脱落しないようにすることができる。
【００１６】
保持片１０は一対の側板１０Ａ，１０Ｂを有しており、一方の側板１０Ａはヒンジ９によって接続され、他方の側板１０Ｂは自由端となっている。図１に示すように、両側板１０Ａ，１０Ｂ同士を連結する部分のうち本体部５寄りの部分には水平板１０Ｃが形成されている。水平板１０Ｃは両側板１０Ａ，１０Ｂの下縁同士を連結し、延長部８Ａにおける下方への開口面と略平行をなすように形成されている。両側板１０Ａ，１０Ｂ同士を連結する部分のうち残余の部分には傾斜板１０Ｄが形成されている。傾斜板１０Ｄと水平板１０Ｃとの境界部分には起立壁１０Ｅが立ち上がり、傾斜板１０Ｄはこの起立壁１０Ｅの上縁から電線ガイド部８の延出方向外方へ向けて前下がりとなる勾配をもって形成されている。このことにより、電線引き出し口１１は電線ガイド部８の延出方向外方へ向けて徐々に拡開するように形成されている。
【００１７】
図１、図２等に示すように、保持片１０における自由端側の側板１０Ｂにはロック片１２が突出して形成されている。ロック片１２の先端縁の外面側には全幅に亘ってテーパ縁１３が形成されている。また、ロック片１２の先端縁であって幅方向の中央部にはロック突部１４が突出形成されている。ロック突部１４の上面には上記したテーパ縁１３と略同一勾配をもって連続するガイド面１５が形成されている。逆に、ロック突部１４においてガイド面１５と反対側の面にはロック片１２の外面とほぼ直角に切り立つ係止面１６が形成されている。
【００１８】
図１、図２等に示すように、両延長部８Ａのうち保持片１０が設けられた側と反対側の下縁部の外面には、保持片１０をロックさせるためのロック受け部１７が形成されている。ロック受け部１７は延長部８Ａの外面から幅方向に離間して起立する一対の支持枠片１７Ａと、電線ガイド部８の開口面側において両支持枠１７Ａの起立端同士を連結し外方へ撓み可能な係止枠片１７Ｂとから形成されている。図５に示すように、係止枠片１７Ｂと延長部８Ａの外面との間にはロック片１２を差し込み可能な差し込み口１８が開口して形成されている。ロック片１２及びロック突部１４が差し込み口１８を通ってロック受け部１７内を通過するときには係止枠片１７Ｂは外方へ撓み変形し、ロック突部１４が係止枠片１７Ｂを通過すると弾性復帰し、ロック突部１４の係止面１６が係止枠片１７Ｂに係止する。
【００１９】
図５に示すように、差し込み口１８の開口縁を構成する係止枠片１７Ｂおよびこれに対応する延長部８Ａの下縁にはそれぞれテーパ状をなす外側誘導縁１９（誘い込み）及び内側誘導縁２０が略全幅範囲に亘って形成され、両者は外方へ向けてラッパ状に拡開して形成されている。
【００２０】
図１、図５、図６に示すように、係止枠片１７Ｂの外面で幅方向の中央部には一対の誘導突部２１が設けられている。両誘導突部２１は係止枠片１７Ｂの開口縁からロック片１２の差し込み方向と対向する方向へ突出して形成されている。また、両誘導突部２１はロック片１２が差し込み口１８へ差し込まれる際に、ロック突部１４と対応する幅領域に配置され、かつ幅方向に所定間隔をおいて離間して配置されている。具体的には、図４に示すように、両誘導突部２１の対向面同士の間隔（Ｗ１寸法）は、ロック突部１４の幅（Ｗ２寸法）よりも小さくなるように設定されている。
【００２１】
図５、図６に示すように、両誘導突部２１の内面には外側誘導縁１９と略同一勾配をもって連続する拡張誘導面２１Ａが形成されている。これにより、外側誘導縁１９はロック突部１４と向き合う方向へ部分的に拡張され、その分、ロック片１２に対する誘い込み機能が高められることになる。
【００２２】
次に、上記のように構成された本実施例の作用効果を説明する。電線カバー３を装着する場合には、まず、コネクタハウジング１の電線引き出し面２から引き出された電線Ｗを束ねつつ、図１に示す左方へ屈曲させておく。その状態で、電線カバー３を電線引き出し面２と対向させる。そして、電線カバー３の内側に電線Ｗを収めつつ電線カバー３を電線引き出し面２に被せ付ける。これにより、各装着片６の係止孔７にコネクタハウジング１側の対応する係止爪４を嵌め入れて弾性的に係止させれば、電線カバー３がコネクタハウジング１に取り付けられる。
【００２３】
続いて、開放位置にある保持片１０を閉止位置へ向けてヒンジ９を中心として回動させる。その場合、保持片１０が正規の軌跡に沿って回動すれば、ロック片１２の先端は差し込み口１８の開口縁に直接適合するか、あるいは僅かに回動軌跡からずれていた場合にも、外側誘導縁１９あるいは内側誘導縁２０による案内を受けて差し込み口１８の開口縁に適合する。したがって、そのままロック片１２は係止枠片１７Ｂを押し広げながらロック受け部１７を通過し、通過後には係止枠片１７Ｂが弾性復帰してロック突部１４と係止することができる。これによって、保持片１０が閉止位置にロックされるため、電線Ｗが電線ガイド部８内に保持される。
【００２４】
ところで、保持片１０を開放位置から閉止位置へ変位させる場合に、ヒンジ９の弛みの程度（伸縮の程度）あるいはねじれ等に起因して保持片１０の回動軌跡はばらつきを生じ易い。このため、ロック片１２の先端の回動軌跡が正規ルートから外れて正しく差し込み口１８に適合させることができない事態が懸念される。しかし、本実施例では、ロック受け部１７に誘導突部２１を設け、その内面に拡張誘導面２１Ａを形成してロック受け部１７の外側誘導縁１９による誘い込み領域をロック片１２を迎え入れる方向へ拡張させている。したがって、ロック片１２の先端の回動軌跡がずれていたとしても、ロック片１２の先端を両誘導突部２１が捕捉して、拡張誘導面２１Ａとの摺接およびその後の外側誘導縁１９との摺接を通じて差し込み口１８へと円滑に誘導することができる。かくして、電線Ｗの配索方向の矯正作業をスムーズに行うことができる。
【００２５】
なお、ロック片１２に対するロック受け部１７の誘い込み機能を拡張させる手段としては、係止枠片１７Ｂの厚みを増して外側誘導縁１９を拡張させることが考えられる。しかし、そのような手段を採ると、係止枠片１７Ｂの撓み剛性が高まり、ロック受け部１７内へロック片１２を差し込む際に大きな操作力が必要となり、作業を困難にする。
【００２６】
その点、本実施例では誘導突部２１を左右に分かれて配置させ、拡張誘導面２１Ａをロック突部１４の全幅に亘って摺接させるのでなく、ロック突部１４の幅方向両側部のみ部分的に摺接させるようにしている。したがって、全幅に亘って摺接させる場合に比較して摺動抵抗を減じることができるため、操作力の低減に寄与する。
【００２７】
＜他の実施例＞
本発明は上記記述及び図面によって説明した実施例に限定されるものではなく、例えば次のような実施例も本発明の技術的範囲に含まれる。
（１）上記実施例では誘導突部２１を一対形成したが、一つでも良く、また三以上であってもよい。
（２）上記実施例では、保持片に傾斜板を形成して電線引き出し口が外方へ向けて拡開するようにしたが、傾斜板は省略してもよい。
【符号の説明】
【００２８】
１…コネクタハウジング
２…電線引き出し面
３…電線カバー
８…電線ガイド部
９…ヒンジ
１０…保持片
１１…電線引き出し口
１２…ロック片
１４…ロック突部
１８…差し込み口
１９…外側誘導縁（誘い込み）
２１…誘導突部
２１Ａ…拡張誘導面
【図１】
2015220019.tif 000003
【図２】
2015220019.tif 000004
【図３】
2015220019.tif 000005
【図４】
2015220019.tif 000006
【図５】
2015220019.tif 000007
【図６】
2015220019.tif 000008